(57)【要約】【課題】壁面に取り付けられた状態で光ファイバーの余分な部分の長さを調節可能とする。【解決手段】光ファイバーによって伝送されてくる光信号を電気信号に変換する光受信部と、光受信部を収容するケース３とを備えて、壁面に取り付けられる光受信機１である。ケース３においては、光受信機１が壁面に取り付けられた状態にて壁面と対向する取付面１Ｂを有する。ケース３は、取付面１Ｂから突出して光受信機１を壁面に取り付けた状態にて光ファイバーの一部を巻き付け可能な第１突出部２１を含む。第１突出部２１において光ファイバーの一部が巻き付けられる第１外周面の少なくとも一部は、取付面１Ｂの外周より内側に位置する。【選択図】図８
2015075745.tif 000002
【特許請求の範囲】
【請求項１】
光ファイバーによって伝送されてくる光信号を電気信号に変換する光受信部と、
前記光受信部を収容するケースとを備えて、壁面に取り付けられる光受信機であって、
前記ケースにおいては、前記光受信機が前記壁面に取り付けられた状態にて前記壁面と対向する取付面を有し、
前記ケースは、前記取付面から突出して前記光受信機を前記壁面に取り付けた状態にて前記光ファイバーの一部を巻き付け可能な第１突出部を含み、
前記第１突出部において前記光ファイバーの前記一部が巻き付けられる第１外周面の少なくとも一部は、前記取付面の外周より内側に位置する、光受信機。
【請求項２】
前記第１突出部は、前記第１外周面および該第１外周面とは反対側の第１内周面を有し、
前記ケースは、前記取付面から突出して前記第１突出部の前記第１内周面と対向する第２外周面を有する第２突出部をさらに含み、
前記取付面と前記第１内周面と前記第２外周面とに囲まれた収容部は、前記光ファイバーの他の一部を内部に収容可能である、請求項１に記載の光受信機。
【請求項３】
前記ケースは、前記取付面上にて前記第１突出部の外側において前記第１突出部に対して隙間を開けて位置して前記取付面から離れる方向に付勢された少なくとも１つ以上の付勢部をさらに含み、
前記付勢部は、前記取付面から離れるに従って前記第１突出部に近づくように傾斜した傾斜面部を有し、
前記光受信機を前記壁面に取り付けた状態にて前記光ファイバーの前記一部を前記第１突出部に巻き付ける際に、前記光ファイバーの前記一部によって前記傾斜面部が押圧されて前記付勢部が前記取付面に向かって撓み、
前記光受信機を前記壁面に取り付けた状態にて前記第１突出部に巻き付けられた前記光ファイバーの前記一部は、前記第１突出部と前記付勢部との間の前記隙間を通過している、請求項１または２に記載の光受信機。
【請求項４】
前記付勢部が前記取付面から傾斜して突出した板ばね部からなり、
前記ケースは、前記取付面において前記板ばね部と対向する位置に開口を有する、請求項３に記載の光受信機。
【請求項５】
前記板ばね部は先端に突起を有し、
前記突起においては、前記板ばね部が撓んで前記板ばね部の前記先端が前記開口に接近した際に前記開口の縁に乗り上げる位置に設けられている、請求項４に記載の光受信機。
【請求項６】
前記ケースは、前記開口において前記板ばね部の先端側の縁に沿って前記取付面から突出した第３突出部をさらに含み、
前記第３突出部の前記取付面からの最大高さは、前記突起が前記開口の縁に乗り上げた状態における前記突起の前記取付面からの最大高さより高い、請求項５に記載の光受信機。
【請求項７】
前記光受信機を前記壁面に取り付けた状態にて前記第１突出部に巻き付けられた前記光ファイバーの前記一部は、前記第１突出部と前記第３突出部との間を通過し、
前記第３突出部の先端と前記板ばね部の先端側との間の隙間を前記光ファイバーが通過できないように、前記板ばね部および前記第３突出部の各々が設けられている、請求項６に記載の光受信機。
【請求項８】
前記第１突出部には、前記収容部から前記光ファイバーを引き出すための引出口が設けられ、
前記第１突出部の前記引出口に隣接している部分には、前記光ファイバーを引っ掛けるための切欠が設けられている、請求項２に記載の光受信機。
【発明の詳細な説明】
【技術分野】
【０００１】
本発明は、光受信機に関し、特に、光ファイバーの余分な部分の長さを調節可能な光受信機に関する。
【背景技術】
【０００２】
光ファイバーの余長部分を収容する収容部を有する光受信機を開示した先行文献として、特許文献１(実用新案登録第３１７５１９８号公報)がある。特許文献１に記載された光受信機は、光ファイバーによって伝送されてくる光信号を光中継用アダプタを通じて受け入れて当該光信号を電気信号に変換して高周波出力端子から出力する光受信部と、光受信部を内部に収容するケース本体と、光ファイバーの余長部分を収容する収容部とからなる。
【０００３】
収容部は、ケース本体の外面の内の少なくとも１つの面を光ファイバー配設面として、当該光ファイバー配設面から外方向に突出するように一体的に設けられている。収容部は、ケース本体の外形に略沿うように形成された側壁を連設することで、光ファイバー配設面の四方を囲むように設けられた外枠と、外枠の内側にあって光ファイバーを安全曲率の範囲内で略円形状に添付を可能とする巻枠と、側壁に光ファイバーを配設するために設けられた複数の開口部とを有する。
【先行技術文献】
【特許文献】
【０００４】
【特許文献１】実用新案登録第３１７５１９８号公報
【発明の概要】
【発明が解決しようとする課題】
【０００５】
従来の光受信機においては、光ファイバーの余分な部分を収容部内に収容して光ファイバーの余分な部分の長さを調節した状態で、光受信機を壁面に取り付ける構成になっていた。この場合、光受信機を壁面に取り付けた後で、光ファイバーの余分な部分の長さを調節することができない。そのため、光受信機を壁面に取り付けた後、光ファイバーの余分な部分の長さを再調節する必要性が生じた場合に、光受信機を壁面から取り外さなければならなかった。また、設置工事において、光ファイバーの配線工事を光受信機の取り付け工事より必ず先に行なわなければならず、設置工事の工程順の自由度が制限されていた。
【０００６】
本発明は上記の問題点に鑑みてなされたものであって、壁面に取り付けられた状態で光ファイバーの余分な部分の長さを調節可能な光受信機を提供することを目的とする。
【課題を解決するための手段】
【０００７】
本発明に基づく光受信機は、光ファイバーによって伝送されてくる光信号を電気信号に変換する光受信部と、光受信部を収容するケースとを備えて、壁面に取り付けられる光受信機である。ケースにおいては、光受信機が壁面に取り付けられた状態にて壁面と対向する取付面を有する。ケースは、取付面から突出して光受信機を壁面に取り付けた状態にて光ファイバーの一部を巻き付け可能な第１突出部を含む。第１突出部において光ファイバーの一部が巻き付けられる第１外周面の少なくとも一部は、取付面の外周より内側に位置する。
【０００８】
本発明の一形態においては、第１突出部は、第１外周面および第１外周面とは反対側の第１内周面を有する。ケースは、取付面から突出して第１突出部の第１内周面と対向する第２外周面を有する第２突出部をさらに含む。取付面と第１内周面と第２外周面とに囲まれた収容部は、光ファイバーの他の一部を内部に収容可能である。
【０００９】
本発明の一形態においては、ケースは、取付面上にて第１突出部の外側において第１突出部に対して隙間を開けて位置して取付面から離れる方向に付勢された少なくとも１つ以上の付勢部をさらに含む。付勢部は、取付面から離れるに従って第１突出部に近づくように傾斜した傾斜面部を有する。光受信機を壁面に取り付けた状態にて光ファイバーの一部を第１突出部に巻き付ける際に、光ファイバーの一部によって傾斜面部が押圧されて付勢部が取付面に向かって撓む。光受信機を壁面に取り付けた状態にて第１突出部に巻き付けられた光ファイバーの一部は、第１突出部と付勢部との間の隙間を通過している。
【００１０】
本発明の一形態においては、付勢部が取付面から傾斜して突出した板ばね部からなる。ケースは、取付面において板ばね部と対向する位置に開口を有する。
【００１１】
本発明の一形態においては、板ばね部は先端に突起を有する。突起においては、板ばね部が撓んで板ばね部の先端が開口に接近した際に開口の縁に乗り上げる位置に設けられている。
【００１２】
本発明の一形態においては、ケースは、上記開口において板ばね部の先端側の縁に沿って取付面から突出した第３突出部をさらに含む。第３突出部の取付面からの最大高さは、突起が開口の縁に乗り上げた状態における突起の取付面からの最大高さより高い。
【００１３】
本発明の一形態においては、光受信機を壁面に取り付けた状態にて第１突出部に巻き付けられた光ファイバーの一部は、第１突出部と第３突出部との間を通過している。第３突出部の先端と板ばね部の先端側との間の隙間を光ファイバーが通過できないように、板ばね部および第３突出部の各々が設けられている。
【００１４】
本発明の一形態においては、第１突出部には、収容部から光ファイバーを引き出すための引出口が設けられている。第１突出部の引出口に隣接している部分には、光ファイバーを引っ掛けるための切欠が設けられている。
【発明の効果】
【００１５】
本発明によれば、光受信機を壁面に取り付けた状態で光ファイバーの余分な部分の長さを調節できる。
【図面の簡単な説明】
【００１６】
【図１】本発明の一実施形態に係る光受信機の外観を示す正面図である。
【図２】同実施形態に係る光受信機の外観を示す背面図である。
【図３】同実施形態に係る光受信機の外観を示す平面図である。
【図４】同実施形態に係る光受信機の外観を示す底面図である。
【図５】同実施形態に係る光受信機の外観を示す左側面図である。
【図６】同実施形態に係る光受信機の外観を示す右側面図である。
【図７】同実施形態に係る光受信機の外観を示す正面側斜視図である。
【図８】同実施形態に係る光受信機の外観を示す背面側斜視図である。
【図９】図２の容器をＩＸ−ＩＸ線矢印方向から見た断面図である。
【図１０】図２の容器をＸ−Ｘ線矢印方向から見た断面図である。
【図１１】壁面に取り付けられた光受信機に光ファイバーを接続する状態を示す正面図である。
【図１２】図１１の光受信機を矢印ＸＩＩ方向から見た側面図である。
【図１３】壁面に取り付けられた光受信機に光ファイバーを接続した状態を示す正面図である。
【図１４】同実施形態に係る光受信機のケースの第１突出部に光ファイバーの一部を巻き付けた状態を示す背面図である。
【図１５】同実施形態に係る光受信機のケースの収容部の内部に光ファイバーの他の一部を収容しつつ第１突出部に光ファイバーの一部を巻き付けた状態を示す背面図である。
【図１６】同実施形態に係る光受信機のケースの収容部の内部に光ファイバーの一部を収容した状態を示す背面図である。
【図１７】同実施形態に係る光受信機が壁面に取り付けられた状態にて光ファイバーの一部を第１突出部に巻き付ける際に、光ファイバーの一部が板ばね部の傾斜面を押圧する状態を示す断面図である。
【図１８】同実施形態に係る光受信機が壁面に取り付けられた状態にて光ファイバーの一部を第１突出部に巻き付ける際に、板ばね部が光ファイバーの一部によって押圧されて最も撓んだ状態を示す断面図である。
【図１９】同実施形態に係る光受信機が壁面に取り付けられた状態にて光ファイバーの一部を第１突出部に巻き付ける際に、光ファイバーの一部が第１突出部と板ばね部との間の隙間に到達して、板ばね部が自らの付勢力によって元の姿勢に戻った状態を示す断面図である。
【図２０】同実施形態に係る光受信機が壁面に取り付けられた状態にて光ファイバーの一部を第１突出部から外す際に、板ばね部の先端側を押した状態を示す断面図である。
【図２１】同実施形態に係る光受信機が壁面に取り付けられた状態にて光ファイバーの一部を第１突出部から外す際に、板ばね部の先端側をさらに押して板ばね部の突起が開口の縁に乗り上げた状態を示す断面図である。
【発明を実施するための形態】
【００１７】
以下、本発明の一実施形態に係る光受信機について図面を参照して説明する。以下の実施形態の説明においては、図中の同一または相当部分には同一符号を付して、その説明は繰り返さない。
【００１８】
図１は、本発明の一実施形態に係る光受信機の外観を示す正面図である。図２は、本実施形態に係る光受信機の外観を示す背面図である。図３は、本実施形態に係る光受信機の外観を示す平面図である。図４は、本実施形態に係る光受信機の外観を示す底面図である。図５は、本実施形態に係る光受信機の外観を示す左側面図である。図６は、本実施形態に係る光受信機の外観を示す右側面図である。図７は、本実施形態に係る光受信機の外観を示す正面側斜視図である。図８は、本実施形態に係る光受信機の外観を示す背面側斜視図である。
【００１９】
図１〜８に示すように、本発明の一実施形態に係る光受信機１は、光ファイバーによって伝送されてくる光信号を電気信号に変換する光受信部２と、光受信部２を収容するケース３とを備える。光受信部２は、光中継用アダプタ４および高周波出力端子５の各々と接続されている。光中継用アダプタ４には、後述する光ファイバーの末端に設けられた光コネクタが着脱自在に接続される。高周波出力端子５には、電気信号出力用の同軸ケーブルが接続される。
【００２０】
ケース３は、蓋１０と容器２０とから構成されている。蓋１０および容器２０の各々は、熱可塑性樹脂または熱硬化性樹脂からなり、射出成形により形成されている。蓋１０と容器２０とは、各々の内側に設けられた図示しないスナップフィットにより互いに着脱可能に組み合わされる。
【００２１】
ケース３においては、光受信機１が壁面に取り付けられた状態にて壁面と対向する取付面１Ｂ、および、取付面１Ｂの反対側に位置する正面１Ａを有する。ケース３の正面１Ａは、蓋１０の正面である。ケース３の取付面１Ｂは、容器２０の背面である。
【００２２】
蓋１０には、光中継用アダプタ４に接続された光コネクタを収容するための凹部１１が設けられている。本実施形態においては、図１に示す正面視において、蓋１０の右下側に凹部１１が位置している。
【００２３】
図４に示すように、凹部１１の内周壁に、光中継用アダプタ４が挿通される矩形状の貫通孔１２が設けられている。また、凹部１１の内周壁の貫通孔１２と対向する位置に、光ファイバーを通過させるための切欠１３が設けられている。さらに、図６に示すように、凹部１１の内周壁のうちの蓋１０の右側面に位置する部分に、光コネクタを光中継用アダプタ４に着脱する際の光コネクタを把持する指との干渉を避けるための切欠１４が設けられている。
【００２４】
図１，７に示すように、凹部１１の底面は、光コネクタを光中継用アダプタ４に案内するための平坦面１１１と、平坦面１１１を互いの間に挟んで位置して背面側に凸状に湾曲した湾曲面部１１２，１１３とから構成されている。
【００２５】
具体的には、光コネクタを平坦面１１１に沿わせながら光中継用アダプタ４に接近させる際に、光コネクタを把持する指との干渉を避けるために湾曲面部１１２，１１３が設けられている。
【００２６】
図４，７に示すように、蓋１０の底部に高周波出力端子５が挿通される半円状の切欠１５が設けられている。容器２０の底部に高周波出力端子５が挿通される半円状の切欠２５が設けられている。切欠１５および切欠２５の各々は、蓋１０と容器２０とが組み合わされた状態において１つの円を構成するように設けられている。
【００２７】
図２，８に示すように、容器２０は、取付面１Ｂから突出して光受信機１を壁面に取り付けた状態にて光ファイバーの一部を巻き付け可能な第１突出部２１を含む。第１突出部２１は、ケース３の背面視にて略円形状の外形を有している。本実施形態においては、第１突出部２１は、背面視にてケース３の左側に位置する第１左側突出部２１０ａと、ケース３の底側に位置する第１底側突出部２１０ｂと、背面視にてケース３の右側に位置する第１右側突出部２１０ｃとから構成されている。第１左側突出部２１０ａと第１底側突出部２１０ｂと第１右側突出部２１０ｃとは、互いに離間している。
【００２８】
第１突出部２１は、光ファイバーの一部が巻き付けられる第１外周面および第１外周面とは反対側の第１内周面を有する。第１外周面は、第１左側突出部２１０ａの外周面２１１ａと、第１底側突出部２１０ｂの外周面２１１ｂと、第１右側突出部２１０ｃの外周面２１１ｃとから構成されている。第１内周面は、第１左側突出部２１０ａの内周面２１２ａと、第１底側突出部２１０ｂの内周面２１２ｂと、第１右側突出部２１０ｃの内周面２１２ｃとから構成されている。
【００２９】
本実施形態においては、背面視にて、第１突出部２１の第１外周面は、取付面１Ｂの外周より内側に位置している。すなわち、背面視にて、ケース３の外周面より内側に、第１突出部２１の第１外周面の全体が位置している。ただし、背面視にて、第１突出部２１の第１外周面に、ケース３の外周面の外側に位置する部分があってもよい。
【００３０】
なお、第１底側突出部２１０ｂの外周面２１１ｂの一部から、ケース３をボルトで壁面に固定するためのボルト用孔２６４を有する２つの延設部２６３が、ケース３の底面より外側まで延在するように設けられている。
【００３１】
第１左側突出部２１０ａの取付面１Ｂ側とは反対側の先端部に、内周面２１２ａ側から延在して取付面１Ｂと対向する３つの第１ファイバ抑え２１３ａが互いに間隔を置いて設けられている。第１底側突出部２１０ｂの取付面１Ｂ側とは反対側の先端部に、内周面２１２ｂ側から延在して取付面１Ｂと対向する２つの第１ファイバ抑え２１３ｂが互いに間隔を置いて設けられている。第１右側突出部２１０ｃの取付面１Ｂ側とは反対側の先端部に、内周面２１２ｃ側から延在して取付面１Ｂと対向する３つの第１ファイバ抑え２１３ｃが互いに間隔を置いて設けられている。
【００３２】
容器２０は、取付面１Ｂから突出して第１突出部２１の第１内周面と所定の間隔を置いて対向する第２外周面を有する第２突出部２２をさらに含む。第２突出部２２は、ケース３の背面視にて、光ファイバーの安全曲率より小さい曲率を有する略円形状の外形を有している。第１突出部２１と第２突出部２２とは、略同心状に配置されている。第２突出部２２は、第２外周面２２１および第２外周面２２１とは反対側の第２内周面２２２を有する。
【００３３】
なお、光ファイバーの安全曲率とは、湾曲部から光が漏れることによる損失が発生せず、かつ、光ファイバーに亀裂などが生じない許容曲げ半径の曲率である。たとえば、光ファイバーの直径の４０倍程度が、光ファイバーの許容曲げ半径である。
【００３４】
第２突出部２２の取付面１Ｂ側とは反対側の先端部に、第２外周面２２１側から延在して取付面１Ｂと対向する４つの第２ファイバ抑え２２３が互いに間隔を置いて設けられている。
【００３５】
取付面１Ｂと第１突出部２１の第１内周面と第２突出部２２の第２外周面２２１とに囲まれた収容部２９ｂは、光ファイバーの他の一部を内部に収容可能である。第１ファイバ抑え２１３ａ、第１ファイバ抑え２１３ｂおよび第１ファイバ抑え２１３ｃと、第２ファイバ抑え２２３とは、互いに間隔を置いて収容部２９ｂを千鳥状に覆っている。
【００３６】
上記のように第１左側突出部２１０ａと第１右側突出部２１０ｃとは互いに離間して、収容部２９ｂから光ファイバーを引き出すための引出口２７ａが設けられている。第１左側突出部２１０ａと第１底側突出部２１０ｂとは互いに離間して、収容部２９ｂから光ファイバーを引き出すための引出口２７ｂが設けられている。第１底側突出部２１０ｂと第１右側突出部２１０ｃとは互いに離間して、収容部２９ｂから光ファイバーを引き出すための引出口２７ｃが設けられている。
【００３７】
図３，８に示すように、第１左側突出部２１０ａの引出口２７ａに隣接している部分には、光ファイバーを引っ掛けるための切欠２１４ａが設けられている。第１右側突出部２１０ｃの引出口２７ａに隣接している部分には、光ファイバーを引っ掛けるための切欠２１４ｃが設けられている。光ファイバーを引出口２７ａから引き出した際に、光ファイバーを切欠２１４ａまたは切欠２１４ｃに引っ掛けることにより、光ファイバーが取付面１Ｂから浮き上がることを抑制できる。
【００３８】
背面視にて第２突出部２２の内側の上方の位置に、ケース３を壁面に取り付けるためのだるま穴２６１を有する膨出部が設けられている。膨出部のだるま穴２６１は、ケース３の底面側、および取付面１Ｂ側とは反対側の先端側に開口した大径穴部と、大径穴部に連続してケース３の上面側に延在した長円形穴部とからなる。
【００３９】
だるま穴２６１の大径穴部の開口端に連続するように、案内用突出部２６２が設けられている。取付面１Ｂと第２突出部２２の第２内周面２２２と案内用突出部２６２とに囲まれたターゲット空間２６は、後述するようにケース３を取り付けるための頭付ボルトの頭を挿入するターゲットとなる。
【００４０】
壁面に固定された頭付ボルトの頭をターゲット空間２６内に挿入した状態で、頭付ボルトの頭が案内用突出部２６２に沿ってだるま穴２６１の大径穴部の開口に近づくようにケース３を移動させることにより、頭付ボルトの頭をだるま穴２６１の大径穴部内に容易に挿入することができる。続いて、頭付ボルトの頭をだるま穴２６１の長円形穴部内に挿入することにより、ケース３を壁面に取り付けることができる。
【００４１】
本実施形態に係るケース３の容器２０は、取付面１Ｂ上にて第１突出部２１の外側において第１突出部２１に対して隙間２９ａを開けて位置して取付面１Ｂから離れる方向に付勢された４つの付勢部をさらに含む。各付勢部は取付面１Ｂから傾斜して突出した板ばね部からなる。具体的には、背面視にて、取付面１Ｂの上面側に位置する２つの上面側板ばね部２８ａと、取付面１Ｂの底面側に位置する２つの底面側板ばね部２８ｂとが設けられている。
【００４２】
２つの上面側板ばね部２８ａのうちの一方は、背面視にて、取付面１Ｂの左上の角の近傍から第１左側突出部２１０ａに接近して対向するように延在している。２つの上面側板ばね部２８ａのうちの他方は、背面視にて、取付面１Ｂの右上の角の近傍から第１右側突出部２１０ｃに接近して対向するように延在している。
【００４３】
２つの底面側板ばね部２８ｂのうちの一方は、背面視にて、取付面１Ｂの左下の角の近傍から上方に向けて延在して、その先端が引出口２７ｂの外側に位置している。２つの底面側板ばね部２８ｂのうちの他方は、背面視にて、取付面１Ｂの右下の角の近傍から上方に向けて延在して、その先端が引出口２７ｃの外側に位置している。
【００４４】
容器２０は、取付面１Ｂにおいて各板ばね部と対向する位置に開口を有する。具体的には、取付面１Ｂにおいて２つの上面側板ばね部２８ａにそれぞれ対向する２つの上面側開口２８５ａが設けられている。上面側開口２８５ａは、背面視にて、撓んでいない状態の上面側板ばね部２８ａを取付面１Ｂに投影した領域を包含する大きさで形成されている。取付面１Ｂにおいて２つの底面側板ばね部２８ｂにそれぞれ対向する２つの底面側開口２８５ｂが設けられている。底面側開口２８５ｂは、背面視にて、撓んでいない状態の底面側板ばね部２８ｂを取付面１Ｂに投影した領域を包含する大きさで形成されている。
【００４５】
上面側板ばね部２８ａが取付面１Ｂ側に撓んだ際に、上面側板ばね部２８ａの根元部の取付面１Ｂと対向する側が上面側開口２８５ａの内部に収容されることにより、上面側板ばね部２８ａが取付面１Ｂと干渉することなく撓むことができる。同様に、底面側板ばね部２８ｂが取付面１Ｂ側に撓んだ際に、底面側板ばね部２８ｂの根元部の取付面１Ｂと対向する側が底面側開口２８５ｂの内部に収容されることにより、底面側板ばね部２８ｂが取付面１Ｂと干渉することなく撓むことができる。
【００４６】
２つの上面側板ばね部２８ａのうちの一方は、取付面１Ｂから離れるに従って第１左側突出部２１０ａに近づくように傾斜した傾斜面部２８１ａを有する。２つの上面側板ばね部２８ａのうちの他方は、取付面１Ｂから離れるに従って第１右側突出部２１０ｃに近づくように傾斜した傾斜面部２８１ａを有する。
【００４７】
２つの底面側板ばね部２８ｂのうちの一方は、取付面１Ｂから離れるに従って第１左側突出部２１０ａに近づくように傾斜した傾斜面部２８１ｂ，２８２ｂを有する。２つの底面側板ばね部２８ｂのうちの他方は、取付面１Ｂから離れるに従って第１右側突出部２１０ｃに近づくように傾斜した傾斜面部２８１ｂ，２８２ｂを有する。
【００４８】
上面側板ばね部２８ａは、先端に突起２８３ａを有している。突起２８３ａにおいては、上面側板ばね部２８ａが撓んで上面側板ばね部２８ａの先端が上面側開口２８５ａに接近した際に上面側開口２８５ａの縁に乗り上げる位置に設けられている。
【００４９】
底面側板ばね部２８ｂは、先端に突起２８３ｂを有している。突起２８３ｂにおいては、底面側板ばね部２８ｂが撓んで底面側板ばね部２８ｂの先端が底面側開口２８５ｂに接近した際に底面側開口２８５ｂの縁に乗り上げる位置に設けられている。
【００５０】
容器２０は、上面側開口２８５ａにおいて上面側板ばね部２８ａの先端側の縁に沿って取付面１Ｂから突出した２つの上面側第３突出部２８９ａをさらに含む。２つの上面側第３突出部２８９ａは、上面側板ばね部２８ａの突起２８３ａと干渉しないように、上面側開口２８５ａの縁において突起２８３ａが乗り上げる位置を互いの間に挟むように間隔を置いて設けられている。
【００５１】
容器２０は、底面側開口２８５ｂにおいて底面側板ばね部２８ｂの先端側の縁に沿って取付面１Ｂから突出した底面側第３突出部２８９ｂをさらに含む。底面側第３突出部２８９ｂは、底面側板ばね部２８ｂの突起２８３ｂと干渉しないように、底面側開口２８５ｂの縁において突起２８３ｂが乗り上げる位置に隣接して設けられている。２つの底面側板ばね部２８ｂのうちの一方の先端側に位置する底面側第３突出部２８９ｂは、引出口２７ｂと対向している。２つの底面側板ばね部２８ｂのうちの他方の先端側に位置する底面側第３突出部２８９ｂは、引出口２７ｃと対向している。
【００５２】
ここで、撓んでいない状態の上面側板ばね部２８ａと上面側第３突出部２８９ａとの位置関係、および、撓んでいない状態の底面側板ばね部２８ｂと底面側第３突出部２８９ｂとの位置関係について説明する。
【００５３】
図９は、図２の容器をＩＸ−ＩＸ線矢印方向から見た断面図である。図１０は、図２の容器をＸ−Ｘ線矢印方向から見た断面図である。以下の説明では、２つの上面側板ばね部２８ａのうちの他方について説明するが、２つの上面側板ばね部２８ａのうちの一方についても同様である。また、２つの底面側板ばね部２８ｂうちの他方について説明するが、２つの底面側板ばね部２８ｂのうちの一方についても同様である。
【００５４】
図９に示すように、取付面１Ｂから第１右側突出部２１０ｃの先端までの距離の寸法、すなわち、第１突出部２１の高さの寸法はＨ21である。なお、取付面１Ｂから第１左側突出部２１０ａの先端までの距離の寸法、および、取付面１Ｂから第１底側突出部２１０ｂの先端までの距離の寸法もＨ21である。
【００５５】
図９，１０に示すように、撓んでいない状態の上面側板ばね部２８ａおよび底面側板ばね部２８ｂの取付面１Ｂからの最大高さの寸法はＨ28である。上面側板ばね部２８ａの突起２８３ａおよび底面側板ばね部２８ｂの突起２８３ｂの厚さの寸法はＴ283である。
【００５６】
取付面１Ｂから上面側第３突出部２８９ａの先端までの距離の寸法および取付面１Ｂから底面側第３突出部２８９ｂの先端までの距離の各寸法、すなわち、第３突出部の最大高さの寸法はＨ289である。
【００５７】
よって、取付面１Ｂに直交する方向において、第１突出部２１の先端から撓んでいない状態の上面側板ばね部２８ａまたは底面側板ばね部２８ｂまでの隙間の寸法をＭ1とすると、Ｍ1＝Ｈ21−Ｈ28となる。
【００５８】
また、取付面１Ｂに直交する方向において、第３突出部の取付面１Ｂ側とは反対側の先端から、撓んでいない状態の上面側板ばね部２８ａの先端側の突起２８３ａまたは底面側板ばね部２８ｂの先端側の突起２８３ｂまでの隙間の寸法をＭ2とすると、Ｍ2＝Ｈ28−Ｔ283−Ｈ289となる。
【００５９】
以下、本実施形態に係る光受信機１において、壁面に取り付けた状態にて光ファイバーを接続する際の動作について説明する。
【００６０】
図１１は、壁面に取り付けられた光受信機に光ファイバーを接続する状態を示す正面図である。図１２は、図１１の光受信機を矢印ＸＩＩ方向から見た側面図である。図１３は、壁面に取り付けられた光受信機に光ファイバーを接続した状態を示す正面図である。
【００６１】
図１１〜１３に示すように、光受信機１は壁面９に取り付けられている。壁面９には、少なくとも３つの雌ねじが設けられている。３つの雌ねじのうちの１つには、図示しない頭付ボルトが締め込まれている。この頭付ボルトの頭が、ケース３のだるま穴２６１の長円形穴部内に挿入されていることにより、ケース３が壁面９に取り付けられている。
【００６２】
３つの雌ねじのうちの残りの２つには、ケース３の延設部２６３のボルト用孔２６４を挿通した頭付ボルト８が締め込まれている。本実施形態においては、３つの頭付ボルトによって、光受信機１が壁面９に固定されている。ただし、光受信機１の壁面９への固定方法はこれに限られない。
【００６３】
光配線７は、末端に位置する光コネクタ７ａと、光ファイバー７ｂとを含む。光配線７の先端は、ケーブルテレビなどから光信号が送られてくる光ケーブルに接続されて固定されている。
【００６４】
図１１に示すように、光コネクタ７ａを光中継用アダプタ４に接続する際には、光コネクタ７ａを矢印７ｘで示すように切欠１３内を通過させて平坦面１１１に沿わせながら光中継用アダプタ４に接近させる。図１３に示すように、光コネクタ７ａを光中継用アダプタ４に接続した状態においては、光コネクタ７ａは凹部１１内に収容されて、光ファイバー７ｂが切欠１３内を通過している。
【００６５】
上記のように光コネクタ７ａを光中継用アダプタ４に接続する際、光ファイバー７ｂに余分な部分が生じていることがある。本実施形態に係る光受信機１においては、光受信機１を壁面９に取り付けた状態にて光ファイバー７ｂの一部を第１突出部２１に巻き付けることができる。
【００６６】
図１４は、本実施形態に係る光受信機のケースの第１突出部に光ファイバーの一部を巻き付けた状態を示す背面図である。図１４に示すように、光受信機１を壁面９に取り付けた状態にて第１突出部２１に巻き付けられた光ファイバー７ｂの一部は、第１突出部２１と付勢部との間の隙間２９ａを通過している。さらに、光受信機１を壁面９に取り付けた状態にて第１突出部２１に巻き付けられた光ファイバー７ｂの一部は、第１突出部２１と第３突出部との間を通過している。
【００６７】
具体的には、光ファイバー７ｂの先端側から順に、底面側第３突出部２８９ｂと第１左側突出部２１０ａとの間、上面側第３突出部２８９ａと第１左側突出部２１０ａとの間、上面側第３突出部２８９ａと第１右側突出部２１０ｃとの間、底面側第３突出部２８９ｂと第１右側突出部２１０ｃとの間を通過するように、第１突出部２１に光ファイバー７ｂを巻き付ける。底面側第３突出部２８９ｂと第１右側突出部２１０ｃとの間を通過している部分より末端側を、第１底側突出部２１０ｂの外側において安全曲率より小さい曲率で湾曲させて、正面側の収容部１１内に挿入する。なお、第１突出部２１に光ファイバー７ｂを２周以上巻き付けてもよい。
【００６８】
このように、本実施形態に係る光受信機１は、壁面９に取り付けられた状態で光ファイバー７ｂの余分な部分の長さを調節可能である。そのため、光受信機１を壁面９に取り付けた後、光ファイバー７ｂの余分な部分の長さを再調節する必要性が生じた場合に、光受信機１を壁面から取り外す必要がない。また、設置工事において、光配線７の配線工事を光受信機１の取り付け工事より後で行なってもよく、設置工事の工程順の自由度を高めることができる。
【００６９】
本実施形態に係る光受信機１のケース３は収容部２９ｂを有するため、光受信機１を壁面９に取り付ける前に予め光ファイバー７ｂの他の一部を収容部２９ｂの内部に収容できる。
【００７０】
図１５は、本実施形態に係る光受信機のケースの収容部の内部に光ファイバーの他の一部を収容しつつ第１突出部に光ファイバーの一部を巻き付けた状態を示す背面図である。図１５に示すように、ケース３の収容部２９ｂ内に光ファイバー７ｂの他の一部を収容した状態で光受信機１を壁面９に取り付けた後、光ファイバー７ｂの一部を第１突出部２１に巻き付けることもできる。
【００７１】
具体的には、光ファイバー７ｂの末端側の一部を引出口２７ｃから収容部２９ｂ内に挿入し、第２突出部２２に１周巻き付けてから引出口２７ｃから引き出す。引出口２７ｃから引き出された部分より末端側を、第１底側突出部２１０ｂの外側において安全曲率より小さい曲率で湾曲させて、正面側の収容部１１内に挿入する。なお、第２突出部２２に光ファイバー７ｂを２周以上巻き付けてもよい。
【００７２】
光ファイバー７ｂの先端側の一部を、図１４に示す状態と同様に、光ファイバー７ｂの先端側から順に、底面側第３突出部２８９ｂと第１左側突出部２１０ａとの間、上面側第３突出部２８９ａと第１左側突出部２１０ａとの間、上面側第３突出部２８９ａと第１右側突出部２１０ｃとの間、底面側第３突出部２８９ｂと第１右側突出部２１０ｃとの間を通過するように、第１突出部２１に光ファイバー７ｂを巻き付ける。なお、第１突出部２１に光ファイバー７ｂを２周以上巻き付けてもよい。
【００７３】
このように、本実施形態に係る光受信機１は、予め光ファイバー７ｂの余分な部分の一部を収容部２９ｂ内に収容して壁面９に取り付けた状態のまま、光ファイバー７ｂの余分な部分の残部の長さを調節可能である。
【００７４】
なお、光ファイバー７ｂの余分な部分の長さによっては、光ファイバー７ｂの一部を収容部２９ｂ内に収容するのみでもよい。図１６は、本実施形態に係る光受信機のケースの収容部の内部に光ファイバーの一部を収容した状態を示す背面図である。
【００７５】
図１６に示すように、ケース３の収容部２９ｂ内に光ファイバー７ｂの一部を収容した状態で光受信機１を壁面９に取り付けてもよい。光ファイバー７ｂの余分な部分の長さが第１突出部２１に巻き付け可能な長さに満たない場合は、第２突出部２２に光ファイバー７ｂの一部を巻き付けることにより光ファイバー７ｂの余分な部分の長さを調節できる。
【００７６】
以下、光ファイバー７ｂの一部を第１突出部２１に巻き付ける際の付勢部である板ばね部の動作について説明する。なお、以下の説明では、図９と同一の断面視にて上面側板ばね部２８ａについて説明するが、底面側板ばね部２８ｂについても同様である。また、光ファイバー７ｂの横断面形状が円形である場合について説明するが、光ファイバー７ｂの横断面形状が楕円形または矩形などでもよい。
【００７７】
図１７は、本実施形態に係る光受信機が壁面に取り付けられた状態にて光ファイバーの一部を第１突出部に巻き付ける際に、光ファイバーの一部が板ばね部の傾斜面を押圧する状態を示す断面図である。図１８は、本実施形態に係る光受信機が壁面に取り付けられた状態にて光ファイバーの一部を第１突出部に巻き付ける際に、板ばね部が光ファイバーの一部によって押圧されて最も撓んだ状態を示す断面図である。
【００７８】
図１９は、本実施形態に係る光受信機が壁面に取り付けられた状態にて光ファイバーの一部を第１突出部に巻き付ける際に、光ファイバーの一部が第１突出部と板ばね部との間の隙間に到達して、板ばね部が自らの付勢力によって元の姿勢に戻った状態を示す断面図である。
【００７９】
図１７に示すように、光受信機１を壁面９に取り付けた状態にて光ファイバー７ｂの一部を第１突出部２１に巻き付ける際、光ファイバー７ｂの一部が上面側板ばね部２８ａの傾斜面部２８１ａ上を滑りながら矢印７ｘで示すように第１突出部２１に向かって進む。
【００８０】
光ファイバー７ｂの直径の寸法Ｄは、壁面９から上面側板ばね部２８ａまでの隙間の寸法Ｍ1より大きい。そのため、光ファイバー７ｂの一部が上面側板ばね部２８ａの傾斜面部２８１ａと壁面９との間に挟まれた状態になる。さらに光ファイバー７ｂの一部が第１突出部２１に向かって進むことにより、矢印２８ｘで示すように光ファイバー７ｂの一部によって上面側板ばね部２８ａの傾斜面部２８１ａが押圧されて上面側板ばね部２８ａが取付面１Ｂ側に撓む。
【００８１】
図１８に示すように、光ファイバー７ｂの一部は、撓んだ状態の上面側板ばね部２８ａを乗り越えて第１突出部２１に向かって進む。図１９に示すように、光ファイバー７ｂの一部が第１突出部２１と上面側板ばね部２８ａとの間の隙間２９ａに到達すると、上面側板ばね部２８ａは矢印２８ｚで示すように自らの付勢力によって元の姿勢に戻る。
【００８２】
上記のように光ファイバー７ｂの直径の寸法Ｄは、壁面９から上面側板ばね部２８ａまでの隙間の寸法Ｍ1より大きいため、隙間２９ａに位置する光ファイバー７ｂの一部は、上面側板ばね部２８ａを乗り越えることができない。よって、第１突出部２１に巻き付けた光ファイバー７ｂの一部が外側に広がることを抑制できる。
【００８３】
なお、光ファイバー７ｂの横断面形状が楕円形または矩形などである場合は、光ファイバー７ｂの横断面において最も薄い部分の厚さの寸法が、隙間の寸法Ｍ1より大きくなるように設定されている。
【００８４】
また、光ファイバー７ｂの一部は、隙間２９ａにおいて第１突出部２１と上面側第３突出部２８９ａとの間に位置している。光ファイバー７ｂの直径の寸法Ｄは、上面側第３突出部２８９ａの先端から撓んでいない状態の上面側板ばね部２８ａの突起２８３ａまでの隙間の寸法Ｍ2より大きい。そのため、隙間２９ａに位置する光ファイバー７ｂの一部は、上面側板ばね部２８ａと上面側第３突出部２８９ａとの間に入り込めない。よって、隙間２９ａに位置する光ファイバー７ｂの一部が、上面側板ばね部２８ａと取付面１Ｂとの間に入り込んで上面側板ばね部２８ａがロックされることを防止できる。
【００８５】
なお、光ファイバー７ｂの横断面形状が楕円形または矩形などである場合は、光ファイバー７ｂの横断面において最も薄い部分の厚さの寸法が、隙間の寸法Ｍ2より大きくなるように設定されている。すなわち、上面側第３突出部２８９ａの取付面１Ｂ側とは反対側の先端と上面側板ばね部２８ａの先端側との間の隙間を光ファイバー７ｂが通過できないように、上面側板ばね部２８ａおよび上面側第３突出部２８９ａの各々が設けられている。
【００８６】
本実施形態に係る光受信機１においては、ケース３の第１突出部２１に巻き付けた光ファイバー７ｂの一部を、光受信機１を壁面９に取り付けた状態のまま外すことができる。光ファイバー７ｂの一部を第１突出部２１から外す場合は、板ばね部の先端側を押して板ばね部を撓ませる。隙間２９ａに位置する光ファイバー７ｂの一部を、撓ませた板ばね部と壁面９との間を通して板ばね部を乗り越えさせることにより、光ファイバー７ｂの一部を第１突出部２１から外すことができる。
【００８７】
本実施形態においては、板ばね部は容器２０の一部で構成されているため、板ばね部の先端側を強く押しすぎると、板ばね部の根元部が塑性変形して板ばね部がばね性を喪失する恐れがある。
【００８８】
そのため、本実施形態においては、第３突出部の高さの寸法を板ばね部の先端側の厚さの寸法より大きくしている。また、板ばね部の先端に突起を設けている。以下、図を参照して具体的に説明する。なお、以下の説明では、図９と同一の断面視にて上面側板ばね部２８ａについて説明するが、底面側板ばね部２８ｂについても同様である。
【００８９】
図２０は、本実施形態に係る光受信機が壁面に取り付けられた状態にて光ファイバーの一部を第１突出部から外す際に、板ばね部の先端側を押した状態を示す断面図である。図２１は、本実施形態に係る光受信機が壁面に取り付けられた状態にて光ファイバーの一部を第１突出部から外す際に、板ばね部の先端側をさらに押して板ばね部の突起が開口の縁に乗り上げた状態を示す断面図である。
【００９０】
図２０に示すように、光受信機１が壁面９に取り付けられた状態にて光ファイバー７ｂの一部を第１突出部２１から外す際、上面側板ばね部２８ａの先端側を矢印２８ｐで示すように取付面１Ｂ側に向けて指で押すことにより上面側板ばね部２８ａが撓む。上面側第３突出部２８９ａの先端と略同じ位置まで上面側板ばね部２８ａが撓むと、指の腹の一部が上面側第３突出部２８９ａの先端に当たり、指で上面側板ばね部２８ａの先端側をそれ以上押すことが難しくなる。その結果、上面側板ばね部２８ａの先端側を強く押しすぎることを抑制できる。
【００９１】
なお、上面側板ばね部２８ａの突起２８３ａの厚さの寸法Ｔ283は、上面側第３突出部２８９ａの高さの寸法はＨ289より小さい。すなわち、上面側第３突出部２８９ａの取付面１Ｂからの最大高さは、後述するように上面側板ばね部２８ａの突起２８３ａが上面側開口２８５ａの縁に乗り上げた状態における突起２８３ａの取付面１Ｂからの最大高さより高い。そのため、指の腹の一部が上面側第３突出部２８９ａの先端に当たった状態においては、上面側第３突出部２８９ａの突起２８３ａは上面側開口２８５ａの縁に乗り上げていない。
【００９２】
図２１に示すように、上面側板ばね部２８ａの先端側を指でさらに押して上面側板ばね部２８ａを撓ませた場合、上面側板ばね部２８ａの突起２８３ａが上面側開口２８５ａの縁に乗り上げる。その結果、上面側板ばね部２８ａはそれ以上撓むことができなくなる。よって、上面側板ばね部２８ａの先端側を強く押しすぎることを確実に防止できる。
【００９３】
光受信機１が壁面９に取り付けられた状態にて光ファイバー７ｂの一部を第１突出部２１から外すことにより、光ファイバー７ｂの余分な部分の長さを再調節することが可能になる。このように、本実施形態に係る光受信機１においては、光受信機１を壁面９に取り付けた状態のまま、光ファイバー７ｂの余分な部分の長さを繰り返し調節できる。
【００９４】
なお、本実施形態に係る光受信機１のケース３においては４つの付勢部を含んでいるが、付勢部の数はこれに限られず、少なくとも１つ以上であればよい。また、付勢部の構成は、板ばね部に限られず、たとえば、コイルばねに傾斜面部を有する傾斜部材が組み合わされていてもよい。さらに、必ずしも付勢部が設けられていなくてもよい。すなわち、ケース３の背面視にて第１突出部２１の第１外周面が取付面１Ｂの外周より内側に位置していることにより、第１突出部２１に光ファイバー７ｂの一部を巻き付け可能となり、光受信機１が壁面９に取り付けられた状態で光ファイバー７ｂの余分な部分の長さを調節できる。
【００９５】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００９６】
１  光受信機、１Ａ  正面、１Ｂ  取付面、２  光受信部、３  ケース、４  光中継用アダプタ、５  高周波出力端子、７  光配線、７ａ  光コネクタ、７ｂ  光ファイバー、８  頭付ボルト、９  壁面、１０  蓋、１１  凹部、１２  貫通孔、１３，１４，１５，２５，２１４ａ，２１４ｃ  切欠、２０  容器、２１  第１突出部、２２  第２突出部、２６  ターゲット空間、２７ａ，２７ｂ，２７ｃ  引出口、２８ａ  上面側板ばね部、２８ｂ  底面側板ばね部、２９ａ  隙間、２９ｂ  収容部、１１１  平坦面、１１２，１１３  湾曲面部、２１０ａ  第１左側突出部、２１０ｂ  第１底側突出部、２１０ｃ  第１右側突出部、２１１ａ，２１１ｂ，２１１ｃ  外周面、２１２ａ，２１２ｂ，２１２ｃ  内周面、２１３ａ，２１３ｂ，２１３ｃ  第１ファイバ抑え、２２１  第２外周面、２２２  第２内周面、２２３  第２ファイバ抑え、２６１  だるま穴、２６２  案内用突出部、２６３  延設部、２６４  ボルト用孔、２８１ａ，２８１ｂ，２８２ｂ  傾斜面部、２８３ａ，２８３ｂ  突起、２８５ａ  上面側開口、２８５ｂ  底面側開口、２８９ａ，２８９ｂ  第３突出部。
【図１】
2015075745.tif 000003
【図２】
2015075745.tif 000004
【図３】
2015075745.tif 000005
【図４】
2015075745.tif 000006
【図５】
2015075745.tif 000007
【図６】
2015075745.tif 000008
【図７】
2015075745.tif 000009
【図８】
2015075745.tif 000010
【図９】
2015075745.tif 000011
【図１０】
2015075745.tif 000012
【図１１】
2015075745.tif 000013
【図１２】
2015075745.tif 000014
【図１３】
2015075745.tif 000015
【図１４】
2015075745.tif 000016
【図１５】
2015075745.tif 000017
【図１６】
2015075745.tif 000018
【図１７】
2015075745.tif 000019
【図１８】
2015075745.tif 000020
【図１９】
2015075745.tif 000021
【図２０】
2015075745.tif 000022
【図２１】
2015075745.tif 000023